(57)【要約】【課題】所定の操作対象製品に対して恒常的に行うような操作について、ユーザがいちいちリモコンを操作しなくとも、タグに格納された識別情報を取得するだけで行うことができ、また、既存の操作対象機器についても適用することができる。【解決手段】ユーザ端末１Ａと、中継サーバ２Ａと、リモコン装置３ＡとがネットワークＮＷ１を介して通信可能に構成され、ユーザ端末１Ａが、タグから操作識別情報を取得すると、中継サーバ２Ａに対し、取得した操作識別情報を送信すると、中継サーバ２Ａは操作指示情報抽出部２１２により、操作識別情報と操作指示情報を相互に関連付けて記憶する操作指示情報記憶部２１１を参照して、操作識別情報と関連付けて記憶されている操作指示情報を抽出し、リモコン装置３Ａに対して、抽出した操作指示情報を送信する。これに応じてリモコン装置３Ａは、操作対象機器に対し、操作指示情報に対応した操作信号を発信する。【選択図】図１
2015002364.tif 000002
【特許請求の範囲】
【請求項１】
操作識別情報が格納されたタグから当該操作識別情報を取得すると共に、中継サーバに対し、当該取得した操作識別情報を送信するユーザ端末と、
上記ユーザ端末から上記操作識別情報を受信すると共に、操作対象機器に所定の動作を実行させるリモコン装置に対し、上記操作識別情報に対応した操作指示情報を送信する中継サーバと、
上記中継サーバから受信した上記操作指示情報に応じて、無線により、上記操作対象機器に所定の動作を実行させるリモコン装置と、がネットワークを介して通信可能に構成され、
上記操作信号を受信して当該操作信号に応じた動作を実行する操作対象機器に、上記タグに格納された操作識別情報に対応した動作をさせるシステムであって、
上記ユーザ端末は、
上記タグから上記操作識別情報を取得する操作識別情報取得手段と、
上記中継サーバに対し、上記取得した操作識別情報を送信する操作識別情報送信手段と、を有し、
上記中継サーバは、
上記操作識別情報と、上記操作指示情報を相互に関連付けて記憶する操作指示情報記憶手段と、
上記ユーザ端末から、上記操作識別情報を受信する操作識別情報受信手段と、
上記操作指示情報記憶手段を参照して、上記受信した操作識別情報と関連付けて記憶されている操作指示情報を抽出する操作指示情報抽出手段と、
上記リモコン装置に対し、上記抽出した操作指示情報を送信する操作指示情報送信手段と、を有し、
上記リモコン装置は、
上記中継サーバから、上記操作指示情報を受信する操作指示情報受信手段と、
上記操作対象機器に対し、上記操作指示情報に対応した操作信号を発信する操作信号発信手段と、を有する、
ことを特徴とするリモートコントロールシステム。
【請求項２】
上記中継サーバは、
上記リモコン装置によって上記操作対象機器から取得された操作信号であって、上記操作対象機器が所定の動作を実行するための操作信号に対応する操作指示情報を、上記操作識別情報と関連付けて上記操作指示情報記憶手段に登録する操作指示情報登録手段、をさらに有し、
上記リモコン装置は、
上記操作対象機器が所定の動作を実行するための操作信号を受信する操作信号受信手段、をさらに有する、
請求項１記載のリモートコントロールシステム。
【請求項３】
上記ユーザ端末は、
上記操作識別情報送信手段が、上記中継サーバに対し、上記ユーザを識別可能なユーザ識別情報と共に、上記取得した操作識別情報を送信し、
上記中継サーバは、
上記操作指示情報記憶手段が、上記ユーザ識別情報と、上記操作識別情報と、上記操作指示情報を相互に関連付けて記憶し、
上記操作識別情報受信手段が、上記ユーザ端末から、上記ユーザ識別情報と、上記操作識別情報を受信し、
上記操作指示情報抽出手段が、上記操作指示情報記憶手段を参照して、上記受信したユーザ識別情報と、上記操作識別情報と関連付けて記憶されている操作指示情報を抽出する、
請求項１又は２記載のリモートコントロールシステム。
【請求項４】
上記ユーザ端末は、
上記操作識別情報送信手段が、上記中継サーバに対し、上記ユーザを識別可能なユーザ識別情報と共に、上記取得した操作識別情報を送信し、
上記中継サーバは、
上記操作対象機器に対する正当な操作権限を有するユーザを認証するための情報として、上記ユーザ識別情報を記憶する認証情報記憶手段と、
上記認証情報記憶手段を参照して、上記ユーザ端末から受信したユーザ識別情報に基づき、上記ユーザ端末を認証する認証処理手段と、をさらに有し、
上記操作識別情報受信手段が、上記ユーザ端末から、上記ユーザ識別情報と、上記操作識別情報を受信し、
上記操作指示情報抽出手段が、上記ユーザ識別情報に基づくユーザ端末の認証の結果、正当なユーザであるとの認証に成功したときに、上記操作指示情報記憶手段を参照して、上記操作識別情報と関連付けて記憶されている操作指示情報を抽出する、
請求項１又は２記載のリモートコントロールシステム。
【請求項５】
上記ユーザ端末は、
上記中継サーバから、広告情報を受信する広告情報受信手段、をさらに有し、
上記中継サーバは、
上記リモコン装置に対して送信した操作指示情報の履歴を記憶する履歴情報記憶手段と、
上記操作指示情報の履歴が所定の条件に合致したときに、上記ユーザ端末に対して配信される広告情報を記憶する広告情報記憶手段と、
上記操作指示情報の履歴が所定の条件に合致したときに、上記広告記憶手段を参照して、上記操作指示情報の履歴に対応した広告情報を抽出する広告情報抽出手段と、
上記ユーザ端末に対し、上記抽出した広告情報を送信する広告情報送信手段と、をさらに有する、
請求項１乃至４いずれかの項に記載のリモートコントロールシステム。
【請求項６】
上記ユーザ端末は、
上記ユーザの管理下にある全ての操作対象機器の動作状況に応じたレコメンド情報を受信するレコメンド情報受信手段、をさらに有し、
上記中継サーバは、
上記ユーザの管理下にある全ての操作対象機器の動作状況を記憶する動作状況記憶手段と、
上記リモコン装置に対する上記操作指示情報の送信処理に応じて、上記動作状況記憶手段を更新する動作状況更新手段と、
上記操作対象機器の動作状況が所定の条件に合致したときに、上記ユーザ端末に対して送信されるレコメンド情報を記憶するレコメンド情報記憶手段と、
上記操作対象機器の動作状況が所定の条件に合致したときに、上記レコメンド情報記憶手段を参照して、上記操作対象機器の動作状況に応じたレコメンド情報を抽出するレコメンド情報抽出手段と、
上記ユーザ端末に対し、上記抽出したレコメンド情報を送信するレコメンド情報送信手段と、をさらに有する、
請求項１乃至５いずれかの項に記載のリモートコントロールシステム。
【請求項７】
操作対象機器に対し、無線により、操作指示情報に対応した操作信号を発信して、当該操作対象機器に所定の動作を実行させるリモコン装置と、ネットワークを介して通信可能に構成され、
上記操作対象機器に、タグに格納された操作識別情報に対応した動作をさせる端末であって、
上記操作識別情報と、上記操作指示情報を相互に関連付けて記憶する操作指示情報記憶手段と、
上記タグから上記操作識別情報を取得する操作識別情報取得手段と、
上記操作指示情報記憶手段を参照して、上記取得した操作識別情報と関連付けて記憶されている操作指示情報を抽出する操作指示情報抽出手段と、
上記リモコン装置に対し、上記抽出した操作指示情報を送信する操作指示情報送信手段と、を有する、
ことを特徴とするリモートコントロール端末。
【請求項８】
操作識別情報が格納されたタグから当該操作識別情報を取得すると共に、中継サーバに対し、当該取得した操作識別情報を送信するユーザ端末と、
上記操作識別情報と操作指示情報を相互に関連付けて記憶する操作指示情報記憶手段、を有し、上記ユーザ端末から上記操作識別情報を受信すると共に、操作対象機器に所定の動作を実行させるリモコン装置に対し、上記操作識別情報に対応した操作指示情報を送信する中継サーバと、
上記中継サーバから受信した上記操作指示情報に応じて、無線により、上記操作対象機器に所定の動作を実行させるリモコン装置と、がネットワークを介して通信可能に構成されたシステムにより、
上記操作信号を受信して当該操作信号に応じた動作を実行する操作対象機器に、上記タグに格納された操作識別情報に対応した動作をさせる方法であって、
上記ユーザ端末が、
上記タグから上記操作識別情報を取得する処理と、
上記中継サーバに対し、上記取得した操作識別情報を送信する処理と、を実行し、
上記中継サーバが、
上記ユーザ端末から、上記操作識別情報を受信する処理と、
上記操作指示情報記憶手段を参照して、上記受信した操作識別情報と関連付けて記憶されている操作指示情報を抽出する処理と、
上記リモコン装置に対し、上記抽出した操作指示情報を送信する処理と、を実行し、
上記リモコン装置が、
上記中継サーバから、上記操作指示情報を受信する処理と、
上記操作対象機器に対し、上記操作指示情報に対応した操作信号を発信する処理と、を実行する、
ことを特徴とするリモートコントロール方法。
【請求項９】
操作識別情報が格納されたタグから当該操作識別情報を取得すると共に、中継サーバに対し、当該取得した操作識別情報を送信するユーザ端末と、
上記操作識別情報と操作指示情報を相互に関連付けて記憶する操作指示情報記憶手段、を有し、上記ユーザ端末から上記操作識別情報を受信すると共に、操作対象機器に所定の動作を実行させるリモコン装置に対し、上記操作識別情報に対応した操作指示情報を送信する中継サーバと、
上記中継サーバから受信した上記操作指示情報に応じて、無線により、上記操作対象機器に所定の動作を実行させるリモコン装置と、がネットワークを介して通信可能に構成されたシステムを、
上記操作信号を受信して当該操作信号に応じた動作を実行する操作対象機器に、上記タグに格納された操作識別情報に対応した動作をさせるリモートコントロールシステムとして機能させるためのプログラムであって、
上記ユーザ端末に対し、
上記タグから上記操作識別情報を取得する処理と、
上記中継サーバに対し、上記取得した操作識別情報を送信する処理と、を実行させ、
上記中継サーバに対し、
上記ユーザ端末から、上記操作識別情報を受信する処理と、
上記操作指示情報記憶手段を参照して、上記受信した操作識別情報と関連付けて記憶されている操作指示情報を抽出する処理と、
上記リモコン装置に対し、上記抽出した操作指示情報を送信する処理と、を実行させ、
上記リモコン装置に対し、
上記中継サーバから、上記操作指示情報を受信する処理と、
上記操作対象機器に対し、上記操作指示情報に対応した操作信号を発信する処理と、を実行させる、
コンピュータプログラム。
【発明の詳細な説明】
【技術分野】
【０００１】
本発明は、リモートコントロールにより、所定の操作対象機器に対し、タグに格納されていた識別情報と予め関連付けられた動作を実行させる技術に関する。
【背景技術】
【０００２】
最近の家電製品は、ユーザが離れた位置から操作することができるように、リモートコントロール装置（リモコン）を備えたものが多い。
しかしながら、リモコンは家電製品ごとに用意されているため、家電製品ごとのリモコンを使用しなければならず、複数の家電製品を使用する場合には不便な思いをすることがある。
【０００３】
また、所定の家電製品に対して恒常的に行うような操作については、いちいちリモコンを操作することなく、より簡易に行えれば便利であるし、恒常的に行うような操作が一度に複数の家電製品を対象とする場合には、一括して行うことができればより便利である。
さらに、リモコン信号として利用される赤外線等が届かない場所から家電製品を制御したい場合もある。
【０００４】
このような観点において、特許文献１では、１または複数のＩＤ及びそれを読み出すリーダの組み合わせを、情報機器が処理可能な指示内容であるコマンドに変換する方法又は装置であって、リーダがタグのＩＤを読み出してサーバへ送信すると、エアコン等の情報機器へのコマンドに変換し、ネットワークを介してコマンドを受信した情報機器がコマンドの指示内容を実行する方法又は装置が提案されている。
【先行技術文献】
【特許文献】
【０００５】
【特許文献１】特開２００７−１２４２１８号公報
【発明の概要】
【発明が解決しようとする課題】
【０００６】
しかしながら、上記特許文献１の方法又は装置では、情報機器がネットワークによりデータ通信可能に構成されている必要があり、そのようなデータ通信手段を有しない既存の情報機器等に所定の動作を実行させることができないという問題があった。
【０００７】
そこで、本発明は、所定の家電製品等の操作対象機器に対して恒常的に行うような操作について、ユーザがいちいちリモコンを操作しなくとも、タグに格納された識別情報を取得するだけで行えるようにすると共に、既存の操作対象機器についても操作可能なシステムを提供することを目的とする。
【課題を解決するための手段】
【０００８】
上記目的を達成するため、本発明の一の観点に係るリモートコントロールシステムは、操作識別情報が格納されたタグから当該操作識別情報を取得すると共に、中継サーバに対し、当該取得した操作識別情報を送信するユーザ端末と、上記ユーザ端末から上記操作識別情報を受信すると共に、操作対象機器に所定の動作を実行させるリモコン装置に対し、上記操作識別情報に対応した操作指示情報を送信する中継サーバと、上記中継サーバから受信した上記操作指示情報に応じて、無線により、上記操作対象機器に所定の動作を実行させるリモコン装置と、がネットワークを介して通信可能に構成され、上記操作信号を受信して当該操作信号に応じた動作を実行する操作対象機器に、上記タグに格納された操作識別情報に対応した動作をさせるシステムであって、上記ユーザ端末は、上記タグから上記操作識別情報を取得する操作識別情報取得手段と、上記中継サーバに対し、上記取得した操作識別情報を送信する操作識別情報送信手段と、を有し、上記中継サーバは、上記操作識別情報と、上記操作指示情報を相互に関連付けて記憶する操作指示情報記憶手段と、上記ユーザ端末から、上記操作識別情報を受信する操作識別情報受信手段と、上記操作指示情報記憶手段を参照して、上記受信した操作識別情報と関連付けて記憶されている操作指示情報を抽出する操作指示情報抽出手段と、上記リモコン装置に対し、上記抽出した操作指示情報を送信する操作指示情報送信手段と、を有し、上記リモコン装置は、上記中継サーバから、上記操作指示情報を受信する操作指示情報受信手段と、上記操作対象機器に対し、上記操作指示情報に対応した操作信号を発信する操作信号発信手段と、を有することを特徴とする。
【０００９】
また、上記中継サーバは、上記リモコン装置によって上記操作対象機器から取得された操作信号であって、上記操作対象機器が所定の動作を実行するための操作信号に対応する操作指示情報を、上記操作識別情報と関連付けて上記操作指示情報記憶手段に登録する操作指示情報登録手段、をさらに有し、上記リモコン装置は、上記操作対象機器が所定の動作を実行するための操作信号を受信する操作信号受信手段、をさらに有するものとしてもよい。
【００１０】
また、上記ユーザ端末は、上記操作識別情報送信手段が、上記中継サーバに対し、上記ユーザを識別可能なユーザ識別情報と共に、上記取得した操作識別情報を送信し、上記中継サーバは、上記操作指示情報記憶手段が、上記ユーザ識別情報と、上記操作識別情報と、上記操作指示情報を相互に関連付けて記憶し、上記操作識別情報受信手段が、上記ユーザ端末から、上記ユーザ識別情報と、上記操作識別情報を受信し、上記操作指示情報抽出手段が、上記操作指示情報記憶手段を参照して、上記受信したユーザ識別情報と、上記操作識別情報と関連付けて記憶されている操作指示情報を抽出するものとしてもよい。
【００１１】
また、上記ユーザ端末は、上記操作識別情報送信手段が、上記中継サーバに対し、上記ユーザを識別可能なユーザ識別情報と共に、上記取得した操作識別情報を送信し、上記中継サーバは、上記操作対象機器に対する正当な操作権限を有するユーザを認証するための情報として、上記ユーザ識別情報を記憶する認証情報記憶手段と、上記認証情報記憶手段を参照して、上記ユーザ端末から受信したユーザ識別情報に基づき、上記ユーザ端末を認証する認証処理手段と、をさらに有し、上記操作識別情報受信手段が、上記ユーザ端末から、上記ユーザ識別情報と、上記操作識別情報を受信し、上記操作指示情報抽出手段が、上記ユーザ識別情報に基づくユーザ端末の認証の結果、正当なユーザであるとの認証に成功したときに、上記操作指示情報記憶手段を参照して、上記操作識別情報と関連付けて記憶されている操作指示情報を抽出するものとしてもよい。
【００１２】
また、上記ユーザ端末は、上記中継サーバから、広告情報を受信する広告情報受信手段、をさらに有し、上記中継サーバは、上記リモコン装置に対して送信した操作指示情報の履歴を記憶する履歴情報記憶手段と、上記操作指示情報の履歴が所定の条件に合致したときに、上記ユーザ端末に対して配信される広告情報を記憶する広告情報記憶手段と、上記操作指示情報の履歴が所定の条件に合致したときに、上記広告記憶手段を参照して、上記操作指示情報の履歴に対応した広告情報を抽出する広告情報抽出手段と、上記ユーザ端末に対し、上記抽出した広告情報を送信する広告情報送信手段と、をさらに有するものとしてもよい。
【００１３】
また、上記ユーザ端末は、上記ユーザの管理下にある全ての操作対象機器の動作状況に応じたレコメンド情報を受信するレコメンド情報受信手段、をさらに有し、上記中継サーバは、上記ユーザの管理下にある全ての操作対象機器の動作状況を記憶する動作状況記憶手段と、上記リモコン装置に対する上記操作指示情報の送信処理に応じて、上記動作状況記憶手段を更新する動作状況更新手段と、上記操作対象機器の動作状況が所定の条件に合致したときに、上記ユーザ端末に対して送信されるレコメンド情報を記憶するレコメンド情報記憶手段と、上記操作対象機器の動作状況が所定の条件に合致したときに、上記レコメンド情報記憶手段を参照して、上記操作対象機器の動作状況に応じたレコメンド情報を抽出するレコメンド情報抽出手段と、上記ユーザ端末に対し、上記抽出したレコメンド情報を送信するレコメンド情報送信手段と、をさらに有するものとしてもよい。
【００１４】
また、本発明の別の観点に係るリモートコントロール端末は、操作対象機器に対し、無線により、操作指示情報に対応した操作信号を発信して、当該操作対象機器に所定の動作を実行させるリモコン装置と、ネットワークを介して通信可能に構成され、上記操作対象機器に、タグに格納された操作識別情報に対応した動作をさせる端末であって、上記操作識別情報と、上記操作指示情報を相互に関連付けて記憶する操作指示情報記憶手段と、上記タグから上記操作識別情報を取得する操作識別情報取得手段と、上記操作指示情報記憶手段を参照して、上記取得した操作識別情報と関連付けて記憶されている操作指示情報を抽出する操作指示情報抽出手段と、上記リモコン装置に対し、上記抽出した操作指示情報を送信する操作指示情報送信手段と、を有することを特徴とする。
【００１５】
また、本発明の別の観点に係るリモートコントロール方法は、操作識別情報が格納されたタグから当該操作識別情報を取得すると共に、中継サーバに対し、当該取得した操作識別情報を送信するユーザ端末と、上記操作識別情報と操作指示情報を相互に関連付けて記憶する操作指示情報記憶手段、を有し、上記ユーザ端末から上記操作識別情報を受信すると共に、操作対象機器に所定の動作を実行させるリモコン装置に対し、上記操作識別情報に対応した操作指示情報を送信する中継サーバと、上記中継サーバから受信した上記操作指示情報に応じて、無線により、上記操作対象機器に所定の動作を実行させるリモコン装置と、がネットワークを介して通信可能に構成されたシステムにより、上記操作信号を受信して当該操作信号に応じた動作を実行する操作対象機器に、上記タグに格納された操作識別情報に対応した動作をさせる方法であって、上記ユーザ端末が、上記タグから上記操作識別情報を取得する処理と、上記中継サーバに対し、上記取得した操作識別情報を送信する処理と、を実行し、上記中継サーバが、上記ユーザ端末から、上記操作識別情報を受信する処理と、上記操作指示情報記憶手段を参照して、上記受信した操作識別情報と関連付けて記憶されている操作指示情報を抽出する処理と、上記リモコン装置に対し、上記抽出した操作指示情報を送信する処理と、を実行し、上記リモコン装置が、上記中継サーバから、上記操作指示情報を受信する処理と、上記操作対象機器に対し、上記操作指示情報に対応した操作信号を発信する処理と、を実行することを特徴とする。
【００１６】
また、本発明の別の観点に係るコンピュータプログラムは、操作識別情報が格納されたタグから当該操作識別情報を取得すると共に、中継サーバに対し、当該取得した操作識別情報を送信するユーザ端末と、上記操作識別情報と操作指示情報を相互に関連付けて記憶する操作指示情報記憶手段、を有し、上記ユーザ端末から上記操作識別情報を受信すると共に、操作対象機器に所定の動作を実行させるリモコン装置に対し、上記操作識別情報に対応した操作指示情報を送信する中継サーバと、上記中継サーバから受信した上記操作指示情報に応じて、無線により、上記操作対象機器に所定の動作を実行させるリモコン装置と、がネットワークを介して通信可能に構成されたシステムを、上記操作信号を受信して当該操作信号に応じた動作を実行する操作対象機器に、上記タグに格納された操作識別情報に対応した動作をさせるリモートコントロールシステムとして機能させるためのプログラムであって、上記ユーザ端末に対し、上記タグから上記操作識別情報を取得する処理と、上記中継サーバに対し、上記取得した操作識別情報を送信する処理と、を実行させ、上記中継サーバに対し、上記ユーザ端末から、上記操作識別情報を受信する処理と、上記操作指示情報記憶手段を参照して、上記受信した操作識別情報と関連付けて記憶されている操作指示情報を抽出する処理と、上記リモコン装置に対し、上記抽出した操作指示情報を送信する処理と、を実行させ、上記リモコン装置に対し、上記中継サーバから、上記操作指示情報を受信する処理と、上記操作対象機器に対し、上記操作指示情報に対応した操作信号を発信する処理と、を実行させる。
【発明の効果】
【００１７】
本発明によれば、所定の家電製品等の操作対象機器に対して恒常的に行うような操作について、ユーザがいちいちリモコンを操作しなくとも、タグに格納された識別情報を取得するだけで行うことができ、また、既存の操作対象機器についても適用することができる。
【図面の簡単な説明】
【００１８】
【図１】本発明の第一の実施形態に係るリモートコントロールシステムが備える機能を示した機能ブロック図である。
【図２】本実施形態において、操作指示情報記憶部に記憶されるデータの一例を示した図である。
【図３】本実施形態に係るリモートコントロールシステムによる一連の処理の流れを示したシーケンス図である。
【図４】本発明の第二の実施形態に係るリモートコントロールシステムが備える機能を示した機能ブロック図である。
【図５】本実施形態において、操作指示情報記憶部に記憶されるデータの一例を示した図である。
【図６】本実施形態に係るリモートコントロールシステムによる一連の処理の流れを示したシーケンス図である。
【図７】本発明の第三の実施形態に係るリモートコントロールシステムが備える機能を示した機能ブロック図である。
【図８】本実施形態に係るリモートコントロールシステムにおいて、履歴情報記憶部に記憶されるデータの一例を示した図である。
【図９】本実施形態に係るリモートコントロールシステムにおいて、広告情報記憶部に記憶されるデータの一例を示した図である。
【図１０】本実施形態に係るリモートコントロールシステムによる一連の処理の流れを示したシーケンス図である。
【図１１】本発明の第四の実施形態に係るリモートコントロールシステムが備える機能を示した機能ブロック図である。
【図１２】本実施形態に係るリモートコントロールシステムにおいて、動作状況記憶部に記憶されるデータの一例を示した図である。
【図１３】本実施形態に係るリモートコントロールシステムにおいて、レコメンド情報記憶部に記憶されるデータの一例を示した図である。
【図１４】本実施形態に係るリモートコントロールシステムによる一連の処理の流れを示したシーケンス図である。
【図１５】本発明の第五の実施形態に係るリモートコントロールシステムが備える機能を示した機能ブロック図である。
【図１６】本実施形態に係るリモートコントロールシステムによる一連の処理の流れを示したシーケンス図である。
【図１７】本発明の実施形態に係るリモートコントロールシステムにおいて、リモコン装置から操作信号に係る情報を取得して、操作指示情報と操作識別情報とを関連付ける場合にシステムが備える機能を示した機能ブロック図である。
【発明を実施するための形態】
【実施例１】
【００１９】
以下、本発明の第一の実施形態に係るリモートコントロールシステムについて説明する。
図１に示されるように、本実施形態に係るリモートコントロールシステムは、ユーザ端末１Ａ、中継サーバ２Ａ、及びリモコン装置３Ａから構成され、本システムによって、操作対象機器がリモートコントロール（遠隔操作）される。
なお、操作対象機器は、リモコン装置３Ａから赤外線等の操作信号を受信し、当該操作信号に応じた動作を実行する電子機器等であり、例えば、テレビやエアコン、照明といった家電製品等である。
【００２０】
ユーザ端末１は、本システムのユーザが利用する端末であって、操作識別情報が格納されたタグから当該操作識別情報を取得すると共に、インターネット等のネットワークＮＷ１により通信可能に構成された中継サーバ２Ａを介して、所定の操作対象機器に対し、当該操作識別情報と予め関連付けられた動作を実行させる。
なお、タグは、ＩＣタグやＲＦＩＤタグなどであって、メモリ内に操作識別情報が格納され、非接触による近距離通信などによって、当該操作識別情報が読み取り可能に構成されている。
また、操作識別情報とは、タグごとに固有の情報であって、操作対象機器に対する動作指示情報が関連付けて登録される情報である。
【００２１】
このユーザ端末１は例えば、携帯電話機やPDA（Personal Digital Assistance）、タブレット端末などによって構成され、操作識別情報取得部１１１、及び通信処理部１１２からなる機能ブロックを備える。
【００２２】
操作識別情報取得部１１１は、タグから、操作識別情報を取得する処理部である。この操作識別情報取得部１１１は例えば、タグがＩＣタグやＲＦＩＤタグであれば、操作識別情報をタグから取得するためのアンテナコイルと、このアンテナコイルの動作を制御するための交信制御装置などを有する。
【００２３】
通信処理部１１２は、インターネット等のＮＷ１を介して、中継サーバ２Ａと所定のプロトコルに従ったデータの送受信処理を実行する処理部であって、Ｗｅｂブラウザ等により実現される。
この通信処理部１１２は例えば、中継サーバ２Ａに対して操作識別情報を送信したりする。
【００２４】
中継サーバ２Ａは、ユーザ端末１Ａから、タグに格納されていた操作識別情報を受信すると共に、リモコン装置３Ａに対し、当該操作識別情報に対して予め関連付けて登録されていた操作指示情報を送信することにより、操作対象機器に対して所定の動作の実行を要求する。
ここで、操作指示情報とは、操作対象機器の動作を指示する情報であって、この操作指示情報を受信したリモコン装置３Ａが、所定の操作対象機に対して発信すべき操作信号を把握することのできるものであればよく、例えば、具体的な赤外線等の発信パターン等として構成することもできるし、リビングの照明のＯＮ・ＯＦＦなど、対象となる操作対象機器の情報、当該対象となる操作対象機器が実際に実行すべき動作とを含む情報として構成することもできる。
なお、操作指示情報の対象となる操作対象機器は複数であってもよく、例えば、リビングとダイニングの両方の照明を対象として、ＯＮ・ＯＦＦを指示するものであってもよい。
【００２５】
この中継サーバ２Ａは、CPU（Central Processing Unit）などの演算装置、RAM（Random Access Memory）、ROM（Read Only Memory）などの記憶装置により、操作指示情報記憶部２１１、操作指示情報抽出部２１２、通信処理部２１３からなる機能ブロックを構成する。
【００２６】
操作指示情報記憶部２１１は、操作識別情報と操作指示情報とを関連付けて記憶した記憶部である。
この操作指示情報記憶部２１１には例えば、図２に示されるように、操作識別情報ごとに、操作指示情報が関連付けて記憶されており、ユーザ端末１Ａから操作識別情報を受信した際に、当該操作識別情報と対応する動作指示情報を把握することができる。
【００２７】
操作指示情報抽出部２１２は、ユーザ端末１Ａから操作識別情報を受信した際に、操作指示情報記憶部２１１を参照して、当該操作識別情報と関連付けて記憶されている操作指示情報を抽出する処理を実行する。
【００２８】
通信処理部２１３は、インターネット等のＮＷ１を介して、ユーザ端末１Ａやリモコン装置３Ａと所定のプロトコルに従ったデータの送受信処理を実行する処理部であって、Ｗｅｂブラウザ等により実現される。
この通信処理部２１３は例えば、ユーザ端末１Ａから操作識別情報を受信したり、リモコン装置３Ａに対して操作指示情報を送信したりする。
【００２９】
リモコン装置３Ａは、中継サーバ２Ａから操作指示情報を受け付けると共に、無線により、当該操作指示情報に基づく操作信号を操作対象機器に発信して、操作対象機器を実際に操作する装置である。
【００３０】
このリモコン装置３Ａは、CPU（Central Processing Unit）などの演算装置、RAM（Random Access Memory）、ROM（Read Only Memory）などの記憶装置により、操作信号発信部３１１、通信処理部３１２からなる機能ブロックを構成する。
【００３１】
操作信号発信部３１１は、中継サーバ２Ａから受信した操作指示情報に基づき、所定の操作対象機器に対し、指示された動作を実行させるための操作信号を発信する。
なお、操作信号には、赤外線などの信号の発光パターンや、Bluetooth（登録商標）などの狭域通信信号などが含まれる。
【００３２】
通信処理部３１２は、インターネット等のＮＷ１を介して、中継サーバ２Ａと所定のプロトコルに従ったデータの送受信処理を実行する処理部であって、Ｗｅｂブラウザ等により実現される。
この通信処理部３１２は例えば、中継サーバ２Ａから、動作指示情報を受信したりする。
【００３３】
次に、本実施形態に係るリモートコントロールシステムによる処理の流れについて、図３を参照して説明する。
まず、ユーザは、ユーザ端末１Ａの操作識別情報取得部１１１により、所定のタグから操作識別情報を取得する（Ｓ１０１）。
取得された操作識別情報は、通信処理部１１２により、ネットワークＮＷ１を介して中継サーバ２Ａに対して送信される（Ｓ１０２）。
【００３４】
ユーザ端末１Ａから操作識別情報を受信した中継サーバ２Ａは、操作指示情報抽出部２１２により、操作指示情報記憶部２１１を参照して、受信した操作識別情報と関連付けて登録されている操作指示情報を抽出する（Ｓ１０３）。
抽出された操作指示情報は通信処理部２１３により、ネットワークＮＷ１を介してリモコン装置３Ａに対して送信される（Ｓ１０４）。
【００３５】
中継サーバ２Ａから操作指示情報を受信したリモコン装置３Ａは、操作信号発信部３１１により、当該操作指示情報に基づき、対応する操作対象機器に対し、指定された動作の実行を要求する操作信号を発信する（Ｓ１０５）。
【００３６】
以上の処理により、ユーザ端末１Ａによって、タグから操作識別情報を取得するだけで、所定の操作対象機器に予め登録されていた動作を実行させることができる。
したがって、例えば、宅内の照明（操作対象機器）をオフにする操作指示情報と関連付けられた操作識別情報を格納したタグを用意し、当該タグを玄関わきに備えておけば、外出する際、当該タグにユーザ端末１Ａをかざすだけで、宅内の照明をオフにすることができ、便利である。
【実施例２】
【００３７】
続いて、本発明の第二の実施形態に係るリモートコントロールシステムについて説明する。
本実施形態に係るリモートコントロールシステムは、図４に示されるように、ユーザ端末１Ｂ、中継サーバ２Ｂ、及びリモコン装置３Ｂから構成され、本システムによって、操作対象機器がリモートコントロール（遠隔操作）される。
【００３８】
なお、本実施形態におけるユーザ端末１Ｂは第一の実施形態に係るユーザ端末１Ａと同様に構成され、ユーザ端末１Ａが備えた操作識別情報取得部１１１、及び通信処理部１１２に対応した操作識別情報取得部１２１、及び通信処理部１２２を備える
また、リモコン装置３Ｂは第一の実施形態に係るリモコン装置３Ａと同様に構成され、リモコン装置３Ａが備えた操作信号発信部３１１、及び通信処理部３１２に対応した操作信号発信部３２１、及び通信処理部３２２を備える。
【００３９】
本実施形態における中継サーバ２Ｂは、ユーザ端末１Ａからユーザ識別情報と操作識別情報とを受信すると、ユーザを認証すると共に、リモコン装置３Ｂに対し、ユーザ識別情報及び操作識別情報と関連付けられた操作指示情報を送信する。
【００４０】
この中継サーバ２Ｂは、CPU（Central Processing Unit）などの演算装置、RAM（Random Access Memory）、ROM（Read Only Memory）などの記憶装置により、操作指示情報記憶部２２１、操作指示情報抽出部２２２、通信処理部２２３、認証情報記憶部２２４、認証処理部２２５からなる機能ブロックを構成する。
【００４１】
操作指示情報記憶部２２１は、操作識別情報、ユーザ識別情報、及び操作指示情報を相互に関連付けて記憶した記憶部である。
この操作指示情報記憶部２２１には例えば、図５に示されるように、操作識別情報ごとに、ユーザを識別可能なユーザ識別情報と、操作指示情報とが関連付けて記憶されている。これにより、ユーザ端末１Ｂからユーザ識別情報と操作識別情報を受信した際に、当該ユーザ識別情報及び操作識別情報に対応する動作指示情報を把握することができる。したがって、同一の操作識別情報であっても、当該操作識別情報を送信してきたユーザ端末１Ｂに応じて操作指示情報を異なるものとすることができる。その結果、ユーザ端末１Ｂによって、一つのタグから操作識別情報が取得された場合に、当該ユーザ端末１ＢがユーザＡの利用する端末であった場合には、ユーザＡが利用する居室１の照明をＯＮにし、当該ユーザ端末１ＢがユーザＢの利用する端末であった場合には、ユーザＢが利用する居室２の照明をＯＮにするといったことが可能である。
【００４２】
操作指示情報抽出部２２２は、ユーザ端末１Ａからユーザ識別情報と操作識別情報を受信した際に、操作指示情報記憶部２２１を参照して、当該ユーザ識別情報及び操作識別情報と関連付けて記憶されている操作指示情報を抽出する処理を実行する。
【００４３】
通信処理部２２３は、インターネット等のＮＷ１を介して、ユーザ端末１Ｂやリモコン装置３Ｂと所定のプロトコルに従ったデータの送受信処理を実行する処理部であって、Ｗｅｂブラウザ等により実現される。
この通信処理部２２３は例えば、ユーザ端末１Ｂからユーザ識別情報と操作識別情報を受信したり、リモコン装置３Ａに対して操作指示情報を送信したりする。
【００４４】
認証情報記憶部２２４は、ユーザ識別情報と操作識別情報を送信してくるユーザ端末１Ｂを認証するための情報を記憶した記憶部である。
この認証情報記憶部２２４には例えば、ユーザを認証するための情報としてユーザ識別情報が登録されているほか、パスワードが併せて登録されているものとしてもよい。
【００４５】
認証処理部２２５は、認証情報記憶部２２４を参照して、ユーザ端末１Ｂによるアクセスの正当性を認証する処理を実行する。
この認証処理部２２５は、ユーザ端末１Ｂからユーザ識別情報と操作識別情報とを受信した際に、認証情報記憶部２２４を参照して、当該ユーザ識別情報が登録されているか否かを判断する。その結果、登録されていた場合には、認証成功と判断し、一方、登録されていなかった場合には認証失敗と判断する。
なお、認証処理においては、ユーザ端末１Ｂから、ユーザ識別情報に加えてパスワードを送信させるものとした上、認証情報記憶部２２４において相互に関連付けて記憶させておいたユーザ識別情報とパスワードを参照して、その一致を判断するものとすることもできる。
【００４６】
次に、本実施形態に係るリモートコントロールシステムによる処理の流れについて、図６を参照して説明する。
まず、ユーザは、ユーザ端末１Ｂの操作識別情報取得部１２１により、所定のタグから操作識別情報を取得する（Ｓ２０１）。
取得された操作識別情報は、ユーザ識別情報と共に、通信処理部１２２により、ネットワークＮＷ１を介して中継サーバ２Ｂに対して送信される（Ｓ２０２）。
【００４７】
ユーザ端末１Ｂからユーザ識別情報と操作識別情報を受信した中継サーバ２Ｂは、認証処理部２２４により、認証情報記憶部２２４を参照して、当該ユーザ識別情報の登録有無を判断し、これにより、ユーザ端末１Ｂが正当なユーザであるか否かを判断する（Ｓ２０３）。
【００４８】
認証処理の結果、ユーザ識別情報が認証情報記憶部２２５に登録されておらず、認証に失敗したときには、エラーメッセージをユーザ端末１Ｂに送信するなど、所定のエラー処理を実行して一連の処理を終了する（Ｓ２０４）。
【００４９】
一方、認証処理の結果、ユーザ識別情報が認証情報記憶部２２５に登録されており、認証に成功したときには、操作指示情報抽出部２２２により、操作指示情報記憶部２２１を参照して、受信したユーザ識別情報及び操作識別情報と関連付けて登録されている操作指示情報を抽出する（Ｓ２０５）。
抽出された操作指示情報は通信処理部２２３により、ネットワークＮＷ１を介してリモコン装置３Ｂに対して送信される（Ｓ２０６）。
【００５０】
中継サーバ２Ｂから操作指示情報を受信したリモコン装置３Ｂは、操作信号発信部３２１により、当該操作指示情報に基づき、対応する操作対象機器に対し、指定された動作の実行を要求する操作信号を発信する（Ｓ２０７）。
【００５１】
以上の処理により、ユーザ端末１Ｂによって、タグから操作識別情報を取得するだけで、所定の操作対象機器に対し、ユーザごとに予め登録されていた動作を実行させることができる。
【実施例３】
【００５２】
続いて、本発明の第三の実施形態に係るリモートコントロールシステムについて、図を参照して説明する。
本実施形態に係るリモートコントロールシステムは、図７に示されるように、ユーザ端末１Ｃ、中継サーバ２Ｃ、及びリモコン装置３Ｃから構成され、本システムによって、操作対象機器がリモートコントロール（遠隔操作）される。
【００５３】
なお、本実施形態におけるユーザ端末１Ｃは第一の実施形態に係るユーザ端末１Ａと同様に構成され、ユーザ端末１Ａが備えた操作識別情報取得部１１１、及び通信処理部１１２に対応した操作識別情報取得部１３１、及び通信処理部１３２を備える
また、リモコン装置３Ｃは第一の実施形態に係るリモコン装置３Ａと同様に構成され、リモコン装置３Ａが備えた操作信号発信部３１１、及び通信処理部３１２に対応した操作信号発信部３３１、及び通信処理部３３２を備える。
【００５４】
本実施形態における中継サーバ２Ｃは、リモコン装置３Ｃに対して操作指示情報を送信すると共に、当該送信した操作指示情報の履歴を管理し、当該操作指示情報の履歴に応じた広告情報をユーザ端末１Ｃに対して送信する。
【００５５】
この中継サーバ２Ｃは、CPU（Central Processing Unit）などの演算装置、RAM（Random Access Memory）、ROM（Read Only Memory）などの記憶装置により、操作指示情報記憶部２３１、操作指示情報抽出部２３２、通信処理部２３３、履歴情報記憶部２３４、広告情報記憶部２３５、広告情報抽出部２３６からなる機能ブロックを構成する。
【００５６】
操作指示情報記憶部２３１、操作指示情報抽出部２３２、及び通信処理部２３３は夫々、第一の実施形態に係る操作指示情報記憶部２１１、操作指示情報抽出部２１２、及び通信処理部２１３に対応し、夫々の機能部と同様の機能を有する。
【００５７】
履歴情報記憶部２３４は、操作対象機器に対する操作の実行履歴に関する情報を記憶する記憶部である。
この履歴情報記憶部２３４には例えば、図８に示されるように、ユーザ識別情報、操作指示情報をリモコン装置１Ｃに対して送信した日時、及び、リモコン装置１Ｃに対して送信された操作指示情報が相互に関連付けて記憶される。
【００５８】
広告情報記憶部２３５は、ユーザによる操作対象機器に対する操作の実行履歴に応じた広告情報を記憶した記憶部である。
この広告情報記憶部２３５には例えば、図９に示されるように、履歴情報記憶部２３４に記憶されている操作指示情報の履歴に基づき、ユーザ端末１Ｃに送信される広告情報を記憶した記憶部である。
ここで、操作指示情報の履歴は、広告情報送信の条件情報として登録されており、ある操作指示情報が特定の日時にリモコン装置３Ｃに対して送信されたりしたときに、ユーザ端末１Ｃに送信されるべき広告情報が把握されるようになっている。
【００５９】
広告情報抽出部２３６は、履歴情報記憶部２３４に記憶されている操作指示情報の履歴に基づき、広告情報記憶部２３５を参照して、リモコン装置３Ｃに対する操作指示情報の送信処理が所定の条件を充足したと判断したときに、当該広告情報記憶部２３５から、ユーザ端末１Ｃに送信されるべき広告情報を抽出する処理を実行する。
【００６０】
次に、本実施形態に係るリモートコントロールシステムによる処理の流れについて、図１０を参照して説明する。
まず、ユーザは、ユーザ端末１Ｃの操作識別情報取得部１３１により、所定のタグから操作識別情報を取得する（Ｓ３０１）。
取得された操作識別情報は、通信処理部１３２により、ネットワークＮＷ１を介して中継サーバ２Ｃに対して送信される（Ｓ３０２）。
【００６１】
ユーザ端末１Ｃから操作識別情報を受信した中継サーバ２Ｃは、受信した操作識別情報と関連付けて登録されている操作指示情報を抽出する（Ｓ３０３）。
抽出された操作指示情報は通信処理部２３３により、ネットワークＮＷ１を介してリモコン装置３Ｃに対して送信される（Ｓ３０４）。
【００６２】
中継サーバ２Ｃから操作指示情報を受信したリモコン装置３Ｃは、操作信号発信部３３１により、当該操作指示情報に基づき、対応する操作対象機器に対し、指定された動作の実行を要求する操作信号を発信する（Ｓ３０５）。
【００６３】
一方、リモコン装置３Ｃに対して操作指示情報を送信した中継サーバ２Ｃは、送信した操作指示情報の履歴を履歴情報記憶部２３４に記憶させる（Ｓ３０６）。
さらに、広告情報抽出部２３６は、履歴情報記憶部２３４に記憶されている操作指示情報の履歴に基づき、広告情報記憶部２３５を参照して、リモコン装置３Ｃに対する操作指示情報の送信処理が所定の条件を充足したか否かを判断する（Ｓ３０７）。
その結果、所定の条件を充足していない場合には、そのまま処理を終了する。
【００６４】
一方、判断の結果、リモコン装置３Ｃに対する操作指示情報の送信処理が所定の条件を充足した場合には、広告情報記憶部２３５から、当該条件に合致する広告情報を抽出し（Ｓ３０８）、当該広告情報をユーザ端末１Ｃに対して送信する（Ｓ３０９）。
以上の処理により、ユーザが行った操作対象機器に対する操作に応じた広告をユーザに配信することができる。
【００６５】
なお、本実施形態における履歴情報記憶部２３４に、操作対象機器に対する操作の実行履歴に関する情報として更に、操作が実行された際のユーザの位置情報や、ユーザ端末１Ｃと中継サーバ２Ｃとの通信手段の種類に係る情報を記憶させるものとし、広告情報記憶部２３５に、広告情報送信の条件情報として、操作が実行された際のユーザの一情報や、ユーザ端末１Ｃと中継サーバ２Ｃの間の通信経路の種類に係る情報を含めるものとしてもよい。操作が実行された際のユーザの位置情報は例えば、ユーザ端末１Ｃが予め備えるＧＰＳ（Global Positioning System）によって取得することができる。また、通信経路の種類には例えば、インターネット回線や携帯電話回線等がある。
これらの位置情報や通信経路の情報を加味することで、より的確な広告情報をユーザに送信することができる。
【実施例４】
【００６６】
続いて、本発明の第四の実施形態に係るリモートコントロールシステムについて、図を参照して説明する。
本実施形態に係るリモートコントロールシステムは、図１１に示されるように、ユーザ端末１Ｄ、中継サーバ２Ｄ、及びリモコン装置３Ｄから構成され、本システムによって、操作対象機器がリモートコントロール（遠隔操作）される。
【００６７】
なお、本実施形態におけるユーザ端末１Ｄは第一の実施形態に係るユーザ端末１Ａと同様に構成され、ユーザ端末１Ａが備えた操作識別情報取得部１１１、及び通信処理部１１２に対応した操作識別情報取得部１４１、及び通信処理部１４２を備える
また、リモコン装置３Ｄは第一の実施形態に係るリモコン装置３Ａと同様に構成され、リモコン装置３Ａが備えた操作信号発信部３１１、及び通信処理部３１２に対応した操作信号発信部３４１、及び通信処理部３４２を備える。
【００６８】
本実施形態における中継サーバ２Ｄは、リモコン装置３Ｄに対して操作指示情報を送信すると共に、当該送信した操作指示情報に基づく各操作対象機器の動作状況を管理し、当該各操作対象機器の動作状況に応じたレコメンド情報をユーザ端末１Ｄに対して送信する。
【００６９】
この中継サーバ２Ｄは、CPU（Central Processing Unit）などの演算装置、RAM（Random Access Memory）、ROM（Read Only Memory）などの記憶装置により、操作指示情報記憶部２４１、操作指示情報抽出部２４２、通信処理部２４３、動作状況記憶部２４４、動作状況更新部２４５、レコメンド情報記憶部２４６、及びレコメンド情報抽出部２４７からなる機能ブロックを構成する。
【００７０】
操作指示情報記憶部２４１、操作指示情報抽出部２４２、及び通信処理部２４３は夫々、第一の実施形態に係る操作指示情報記憶部２１１、操作指示情報抽出部２１２、及び通信処理部２１３に対応し、夫々の機能部と同様の機能を有する。
【００７１】
動作状況記憶部２４４は、リモコン装置３Ｄによって操作される操作対象機器の動作状況に関する情報を記憶する記憶部である。
この動作状況記憶部２４４には例えば、図１２に示されるように、操作対象機器ごとに動作状況が関連付けて記憶される。これにより例えば、リビングの照明がＯＮであるか、又はＯＦＦであるか、といった操作対象機器の動作状況を把握することができる。
【００７２】
動作状況更新部２４５は、中継サーバ２Ｄからリモコン装置３Ｄに対して操作指示情報が送信され、リモコン装置３Ｄによって操作指示情報に基づく操作対象機器の操作が実行されたときに、動作状況記憶部２４４を参照して、当該実行された操作に基づく操作対象機器の動作状況を更新する処理を実行する。
【００７３】
レコメンド情報記憶部２４６は、動作状況に応じたレコメンド情報を記憶した記憶部である。
このレコメンド情報記憶部２４６には例えば、図１３に示されるように、レコメンド情報が送信される条件となる動作状況と、所定の動作状況に至ったときに送信されるレコメンド情報が関連付けて記憶されている。これにより、如何なる動作状況のときに、どのようなレコメンド情報がユーザ端末１Ｄに対して送信されるべきかが把握されるようになっている。
【００７４】
レコメンド情報抽出部２４７は、動作状況記憶部２４４に記憶されている操作対象機器の動作状況に基づき、レコメンド情報記憶部２４６を参照して、操作対象機器の動作が所定の条件を充足したときに、当該レコメンド情報記憶部２４６から、ユーザ端末１Ｄに送信されるべきレコメンド情報を抽出する処理を実行する。
【００７５】
次に、本実施形態に係るリモートコントロールシステムによる処理の流れについて、図１４を参照して説明する。
まず、ユーザは、ユーザ端末１Ｄの操作識別情報取得部１４１により、所定のタグから操作識別情報を取得する（Ｓ４０１）。
取得された操作識別情報は、通信処理部１４２により、ネットワークＮＷ１を介して中継サーバ２Ｄに対して送信される（Ｓ４０２）。
【００７６】
ユーザ端末１Ｄから操作識別情報を受信した中継サーバ２Ｄは、受信した操作識別情報と関連付けて登録されている操作指示情報を抽出する（Ｓ４０３）。
抽出された操作指示情報は通信処理部２４３により、ネットワークＮＷ１を介してリモコン装置３Ｄに対して送信される（Ｓ４０４）。
【００７７】
中継サーバ２Ｄから操作指示情報を受信したリモコン装置３Ｄは、操作信号発信部３４１により、当該操作指示情報に基づき、対応する操作対象機器に対し、指定された動作の実行を要求する操作信号を発信する（Ｓ４０５）。
【００７８】
一方、リモコン装置３Ｄに対して操作指示情報を送信した中継サーバ２Ｄは、動作状況更新部２４５により、送信した操作指示情報に基づき、動作状況記憶部２４４を更新する（Ｓ４０６）。
さらに、レコメンド情報抽出部２４７は、動作状況記憶部２４４に記憶されている操作対象機器の動作状況に基づき、レコメンド情報記憶部２４６を参照して、操作対象機器の動作状況が所定の条件を充足したか否かを判断する（Ｓ４０７）。
その結果、所定の条件を充足していない場合には、そのまま処理を終了する。
【００７９】
一方、判断の結果、操作対象機器の動作状況が所定の条件を充足した場合には、レコメンド情報記憶部２４６から、当該条件に合致するレコメンド情報を抽出し（Ｓ４０８）、当該レコメンド情報をユーザ端末１Ｄに対して送信する（Ｓ４０９）。
以上の処理により、ユーザが行った操作対象機器の動作状況に応じたレコメンド情報をユーザに送信することができる。
【００８０】
なお、本実施形態においては、ユーザ端末１Ｄが予め備えるＧＰＳ（Global Positioning System）等によってユーザの位置情報を把握しておくと共に、レコメンド情報記憶部２４６に、動作状況とユーザの位置情報に応じたレコメンド情報を記憶しておくことで、ユーザの位置情報と操作対象機器の動作状況に応じたレコメンド情報をユーザ端末１Ｄに送信することもできる。
このようにユーザの位置情報を加味することで、より的確なレコメンド情報をユーザに送信することができる。
【実施例５】
【００８１】
次ぐに、本発明の第五の実施形態に係るリモートコントロールシステムについて説明する。
上述した第一から第四の実施形態に係るリモートコントロールシステムでは、操作指示情報記憶部２１１、２２１、２３１、２４１を中継サーバ２Ａ、２Ｂ、２Ｃ、２Ｄに備えさせると共に、リモコン装置３Ａ、３Ｂ、３Ｃ、３Ｄに対する操作指示情報は、中継サーバ２Ａ、２Ｂ、２Ｃ、２Ｄから送信させるものとした。しかしながら、別の実施形態では、操作指示情報記憶部２１１、２２１、２３１、２４１をユーザ端末１Ａ、１Ｂ、１Ｃ、１Ｄに備えさせると共に、リモコン装置３Ａ、３Ｂ、３Ｃ、３Ｄに対する操作指示情報は、当該ユーザ端末１Ａ、１Ｂ、１Ｃ、１Ｄから送信させるものとすることもできる。
この場合のリモートコントロールシステムの一例は、図１５に示されるように、ユーザ端末１Ｅ、リモコン装置３Ｅ、及び中継装置４によって構成される。
【００８２】
ここで、中継装置４は、無線ＬＡＮルータなどであって、ネットワークＮＷ２を形成し、アクセスポイントとしての役割を果たす。なお、中継装置４によって形成されるネットワークＮＷ２、特に中継装置４とリモコン装置３Ｅとを結ぶネットワークＮＷ２は、有線ＬＡＮなどの有線によるものとすることもできる。また、ユーザ端末１Ｅと中継装置４とを結ぶ具体的なネットワークＮＷ２はほかに、Bluetooth（登録商標）、IrDA、Zigbee（登録商標）などの特定小電力無線で構成することができる。
【００８３】
ユーザ端末１Ｅは、中継装置４によって形成されるネットワークＮＷ２によってリモコン装置３Ｅと通信可能に構成される一方、インターネット等のネットワークＮＷ１によっても、中継装置４を経由してリモコン装置３Ｅと通信可能に構成される。
【００８４】
本実施形態におけるユーザ端末１Ｅは、ユーザ端末１Ａ同様、携帯電話機やPDA（Personal Digital Assistance）、タブレット端末などによって構成され、操作識別情報取得部１１１に同様の機能を有する操作識別情報取得部１５１、及び通信処理部１１２と同様の機能を有する通信処理部１５２のほか、操作指示情報記憶部１５３、及び操作指示情報抽出部１５４からなる機能ブロックを備える。
【００８５】
操作指示情報記憶部１５３は、操作指示情報記憶部２１１と同様の機能部であって、操作識別情報と操作指示情報とを関連付けて記憶した記憶部である。
また、操作指示情報抽出部１５４は、操作指示情報抽出部２１２と同様の機能部であって、操作識別情報取得部１５１によって操作識別情報が取得された際に、操作指示情報記憶部１５３を参照して、当該操作識別情報と関連付けて記憶されている操作指示情報を抽出する処理を実行する。
【００８６】
次に、本実施形態に係るリモートコントロールシステムによる処理の流れについて、図１６を参照して説明する。
まず、ユーザは、ユーザ端末１Ｅの操作識別情報取得部１５１により、所定のタグから操作識別情報を取得する（Ｓ５０１）。
【００８７】
これに応じて操作指示情報抽出部１５４は、操作指示情報記憶部１５３を参照して、取得された操作識別情報と関連付けて登録されている操作指示情報を抽出する（Ｓ５０２）。
抽出された操作指示情報は通信処理部１５２により、ネットワークＮＷ１又はネットワークＮＷ２を介してリモコン装置３Ｅに対して送信される（Ｓ５０３）。
なお、ネットワークＮＷ１又はネットワークＮＷ２のいずれを選択するかは、ユーザの任意によるものとしてもよいし、宅内にいる場合など、ネットワークＮＷ２に接続可能な状況ではネットワークＮＷ２を優先的に利用し、外出先など、ネットワークＮＷ２に接続不可能な状況ではネットワークＮＷ１を利用するものとしてもよい。
【００８８】
中継サーバ２Ｅから操作指示情報を受信したリモコン装置３Ｅは、操作信号発信部３５１により、当該操作指示情報に基づき、対応する操作対象機器に対し、指定された動作の実行を要求する操作信号を発信する（Ｓ５０５）。
【００８９】
以上の処理により、中継装置４によって形成された無線ＬＡＮ等のネットワークＮＷ２を介して、あるいはインターネット等のＮＷ１を介して、ユーザ端末１Ｅからリモコン装置３Ｅに直接、タグから取得した操作識別情報に応じた操作指示情報を送信し、所定の操作対象機器に予め登録されていた動作を実行させることができる。
【００９０】
以上の本実施形態において、操作識別情報と関連付けて記憶される操作指示情報は、予め中継サーバ２Ａ〜２Ｄやユーザ端末１Ｅに登録されているものとしてもよいが、リモコン装置３Ａ〜３Ｅから操作信号に係る情報を受信して、中継サーバ２Ａ〜２Ｄやユーザ端末１Ｅに登録することもできる。
この場合の各装置等の機能構成について、上述した第一の実施形態をもとに、図１７を参照して説明する。
【００９１】
中継サーバ２Ａは上述した機能部に加え、操作指示情報登録部２１４を備える。
操作指示情報登録部２１４は、リモコン装置３Ａによって操作対象機器から取得された操作信号であって、操作対象機器が所定の動作を実行するための操作信号に対応する操作指示情報を、操作識別情報と関連付けて操作指示情報記憶部１５３に登録する処理を実行する。
【００９２】
また、リモコン装置３Ａは上述した機能部に加え、操作信号受信部３１３を備える。
操作信号受信部３１３は、リモコン操作における赤外線の受光部等によって実現される機能部であって、操作対象機器を操作するためのリモコンから、所定の動作を実行するための操作信号を受信する。
【００９３】
上述した操作指示情報登録２１４と操作信号受信部３１３により、所定の操作指示情報を操作識別情報と関連付けて登録する場合には、所定の操作対象機器のリモコンを用いて、当該所定の動作を実行させるためのボタンを押下するなどして、操作信号を発信させる。当該操作信号はリモコン装置３Ａの操作信号受信部３１３によって受信され、これにより、所定の操作対象機器に所定の動作を実行させるための操作信号が把握される。
【００９４】
当該把握された操作信号に係る情報は中継サーバ２Ａに送信され、中継サーバ２Ａはこれを受信する。そして、操作指示情報登録部２１４により、当該操作信号に係る情報に関連付けて、当該操作信号をリモコン装置３Ａに発信させるための操作指示情報と、ユーザ端末１Ｅを介してユーザから指定された操作識別情報とを操作指示情報記憶部１５３に登録する。
以上の処理により、所定の操作対象機器を動作させるための操作指示情報と、タグに格納された操作識別情報とが関連付けられる。
【００９５】
なお、本発明の第五の実施形態に係るリモートコントロールシステムのように、ユーザ端末１Ｅとリモコン装置３Ｅによって構成される場合には、上記操作指示情報登録部２１４に備えさせるものとすればよい。
また、操作指示情報に対応する操作信号に係る情報はリモコン装置３Ａ側に持たせておき、中継サーバ２Ａの操作指示情報記憶部１５３には、相互に関連付けられた操作指示情報と操作識別情報とを持たせておくようにしもよい。
【００９６】
なお、以上の本実施形態において、タグには、複数の操作識別情報が格納されており、ユーザ端末によって当該複数の操作識別情報が取得されることによって、当該複数の操作識別情報と夫々関連付けられた操作指示情報による操作が全て実行されるものとすることもできる。
【符号の説明】
【００９７】
１Ａ、１Ｂ、１Ｃ、１Ｄ、１Ｅ      ユーザ端末
２Ａ、２Ｂ、２Ｃ、２Ｄ      中継サーバ
３Ａ、３Ｂ、３Ｃ、３Ｄ、３Ｅ      リモコン装置
１１１、１２１、１３１、１４１、１５１      操作識別情報取得部
１１２、１２２、１３２、１４２、１５２      通信処理部
１５３      操作指示情報記憶部
１５４      操作指示情報抽出部
２１１、２２１、２３１、２４１      操作指示情報記憶部
２１２、２２２、２３２、２４２      操作指示情報抽出部
２１３、２２３、２３３、２４３      通信処理部
２１４      操作指示情報登録部
２２４      認証情報記憶部
２２５      認証処理部
２３４      履歴情報記憶部
２３５      広告情報記憶部
２３６      広告情報抽出部
２４４      動作状況記憶部
２４５      動作状況更新部
２４６      レコメンド情報記憶部
２４７      レコメンド情報抽出部
３１１、３２１、３３１、３４１、３５１      操作信号発信部
３１２、３２２、３３２、３４２、３５２      通信処理部
３１３      操作信号受信部
ＮＷ１、ＮＷ２      ネットワーク
【図１】
2015002364.tif 000003
【図２】
2015002364.tif 000004
【図３】
2015002364.tif 000005
【図４】
2015002364.tif 000006
【図５】
2015002364.tif 000007
【図６】
2015002364.tif 000008
【図７】
2015002364.tif 000009
【図８】
2015002364.tif 000010
【図９】
2015002364.tif 000011
【図１０】
2015002364.tif 000012
【図１１】
2015002364.tif 000013
【図１２】
2015002364.tif 000014
【図１３】
2015002364.tif 000015
【図１４】
2015002364.tif 000016
【図１５】
2015002364.tif 000017
【図１６】
2015002364.tif 000018
【図１７】
2015002364.tif 000019